(57)【要約】【課題】紙おむつの吸収体が尿や軟便を吸収したときに、股下部の重みによる垂下りを防止して、着用感を維持したり、陰部皮膚の衛生環境を維持したりできる紙おむつ支持体を提供する。【解決手段】紙おむつ支持体１は、紙おむつ２０の外面に密着配置されて、紙おむつ２０の股下部２７の中央から左右方向に離間しながら、紙おむつ２０の前身頃２５と後身頃２６に向けて延びる二つの支持体１１，１２を備える。股下部２７の中央で左右方向に延びて、支持体１１，１２に連結する第三支持体１３を備える。【選択図】図１
2018038655.tif 000002
【特許請求の範囲】
【請求項１】
紙おむつの外面に密着配置されて、前記紙おむつの股下部の中央から左右方向に離間しながら、前記紙おむつの前身頃と後身頃に向けて延びる二つの支持体を備えることを特徴とする紙おむつ支持体。
【請求項２】
前記支持体は、前記紙おむつのウエスト部にそれぞれ連結されることを特徴とする請求項１に記載の紙おむつ支持体。
【請求項３】
前記支持体は、前記ウエスト部の腰側部において端部同士が交差することを特徴とする請求項２に記載の紙おむつ支持体。
【請求項４】
前記股下部の中央で左右方向に延びて、前記支持体に連結する第三支持体を備えることを特徴とする１から３のうちいずれか一項に記載の紙おむつ支持体。
【請求項５】
前記前身頃と前記後身頃の中央で左右に延びて、前記支持体に連結する伸縮体を備えることを特徴とする１から４のうちいずれか一項に記載の紙おむつ支持体。
【請求項６】
前記支持体は、前記伸縮体が接続する部位から左右方向に大きく離間しながら上方に向けて延びることを特徴とする請求項５に記載の紙おむつ支持体。
【請求項７】
前記支持体は、その裏面に粘着層を有し、前記紙おむつの外面に接着されることを特徴とする請求項１から６のうちいずれか一項に記載の紙おむつ支持体。
【請求項８】
前記紙おむつに対して着脱可能であることを特徴とする請求項１から６のうちいずれか一項に記載の紙おむつ支持体。
【発明の詳細な説明】
【技術分野】
【０００１】
本発明は、紙おむつの垂下りを抑える紙おむつ支持体に関する。
【背景技術】
【０００２】
紙おむつは、吸収体を有する不織布により形成され、着用者の股部を立体的に覆う形状を有する。紙おむつは、下腹部を覆う前身頃、腰臀部を覆う後身頃、陰股部を覆う股下部からなる。
いわゆるテープタイプの紙おむつでは、後身頃の上端の両側を前身頃に覆い被せて、テープや面ファスナーで後身頃と前身頃を連結する。いわゆるパンツタイプの紙おむつでは、後身頃の上端の両側と前身頃の上端の両側が予め連結している。
【先行技術文献】
【特許文献】
【０００３】
【特許文献１】特開２０１５−６２６１６号公報
【発明の概要】
【発明が解決しようとする課題】
【０００４】
紙おむつは、頻尿や尿漏れ、軟便に対応するために、介護が不要な高齢者が着用することもある。
しかし、紙おむつは、吸収体が尿や軟便を吸収すると、その重みで下方に垂下り、着用感が損なわれる。つまり、密着感や支持感がなくなって不快になる。介護が不要な高齢者にとっては、紙おむつが垂下って不快になるという恐れが外出しようとする気持ちを減退させてしまう。また、紙おむつが垂さ下がった状態で歩行し続けると、着用者の内股と干渉して擦れによる皮膚障害が発生することもある。そして、外出先では紙おむつを交換することが困難なことが多いため、介護が不要な高齢者にとっては、紙おむつが垂下ることが、精神的・物理的に外出を妨げる要因となっている。
【０００５】
また、介護が必要な高齢者にとっては、紙おむつが垂下ると尿と糞が触れて、微生物の繁殖や刺激物質の生成により悪臭を放つようになる。これらの誘引となり、皮膚障害と合わせ股部皮膚の衛生環境を悪化してしまう。
【０００６】
本発明は、紙おむつの吸収体が尿や軟便を吸収したときに、股下部の重みによる垂下りを防止して、着用感を維持したり、陰部皮膚の衛生環境を維持したりできる紙おむつ支持体を提供する。
【課題を解決するための手段】
【０００７】
本発明に係る紙おむつ支持体の第一実施態様は、紙おむつの外面に密着配置されて、前記紙おむつの股下部の中央から左右方向に離間しながら、前記紙おむつの前身頃と後身頃に向けて延びる二つの支持体を備えることを特徴とする。
【０００８】
本発明に係る紙おむつ支持体の第二実施態様は、第一実施態様において、前記支持体は、前記紙おむつのウエスト部にそれぞれ連結されることを特徴とする。
【０００９】
本発明に係る紙おむつ支持体の第三実施態様は、第二実施態様において、前記支持体は、前記ウエスト部の腰側部において端部同士が交差することを特徴とする。
【００１０】
本発明に係る紙おむつ支持体の第四実施態様は、第一から第三実施態様のいずれかにおいて、前記股下部の中央で左右方向に延びて、前記支持体に連結する第三支持体を備えることを特徴とする。
【００１１】
本発明に係る紙おむつ支持体の第五実施態様は、第一から第四実施態様のいずれかにおいて、前記前身頃と前記後身頃の中央で左右に延びて、前記支持体に連結する伸縮体を備えることを特徴とする。
【００１２】
本発明に係る紙おむつ支持体の第六実施態様は、第五実施態様において、前記支持体は、前記伸縮体が接続する部位から左右方向に大きく離間しながら上方に向けて延びることを特徴とする。
【００１３】
本発明に係る紙おむつ支持体の第七実施態様は、第一から第六実施態様のいずれかにおいて、前記支持体は、その裏面に粘着層を有し、前記紙おむつの外面に接着されることを特徴とする。
【００１４】
本発明に係る紙おむつ支持体の第八実施態様は、第一から第六実施態様のいずれかにおいて、前記紙おむつに対して着脱可能であることを特徴とする。
【発明の効果】
【００１５】
本発明に係る紙おむつ支持体は、紙おむつの股下部を上方に支持するため、吸収体が尿や軟便を吸収したときに、股下部の重みによる垂下りを防止できる。これにより、紙おむつの密着感や支持感が損なわれることなく、快適な着用感を維持できる。また、着用者の内股と干渉して擦れによる皮膚障害が発生することも防止できる。
さらに、本発明に係る紙おむつ支持体は、股下部を装着者に密着させることにより、前後方向における排泄物の移動を阻止できる。これにより、尿と糞が触れて雑菌が急激に繁殖することがなく、悪臭が抑えられて、股部皮膚の衛生環境を維持できる。
【図面の簡単な説明】
【００１６】
【図１】紙おむつ支持体１および紙おむつ２０を示す斜視図である。
【図２】紙おむつ支持体１および紙おむつ２０を示す正面図である。
【図３】紙おむつ支持体１および紙おむつ２０を示す背面図である。
【図４】紙おむつ支持体１および紙おむつ２０を示す左側面図である。
【図５】紙おむつ支持体１および紙おむつ２０を示す平面図である。
【図６】紙おむつ支持体１および紙おむつ２０を示す底面図である。
【図７】紙おむつ支持体１および紙おむつ２０を示す展開外面図である。
【発明を実施するための形態】
【００１７】
本発明の実施形態に係る紙おむつ支持体１について説明する。
図１から図７は、紙おむつ支持体１および紙おむつ２０を示す図である。
【００１８】
紙おむつ２０は、着用者の下腹部から会陰部を経て臀部を覆う不織布２１を有し、この不織布２１の内側に吸収体２２が配置される。不織布２１の外側には防水材が配置される。
不織布２１は、着用者の下腹部を覆う前身頃２５、腰臀部を覆う後身頃２６、陰股部を覆う股下部２７からなる。つまり、不織布２１は、体の前面（陰部の含まれる部分）、体の後面（臀裂の部分）、体の左右外側部分（右臀部から右下腹部にかけての体側面、左臀部から左下腹部にかけての体側面）を覆う。
【００１９】
前身頃２５と後身頃２６は、左右方向に延びる帯状の形状を有する。前身頃２５は、着用者の左右の腰側部まで延びる。後身頃２６は、着用者の左右の腰側部を超えて、下腹部の近傍まで延びる。
股下部２７は、前身頃２５の下端側中央と後身頃２６の下端側中央の間に配置される。
股下部２７の左右両側から前身頃２５と後身頃２６の下端側にかけて、紙おむつ２０は、大腿部の内側付着部を通るように湾曲する。
【００２０】
後身頃２６は、ウエスト部２９の左右方向の両端にテープ（不図示）を備える。ウエスト部２９の左右両側を、前身頃２５のウエスト部２８の左右両端に覆い被せて、テープで連結することにより、紙おむつ２０がパンツ形状になる。
【００２１】
紙おむつ２０の表面（外面）には、紙おむつ支持体１が装着（密着配置）される。
紙おむつ支持体１は、股下部２７から前身頃２５と後身頃２６に向けてそれぞれ延びる二つの支持体１１，１２を備える。二つの支持体１１，１２は、帯状、索状または紐状等であり、不織布２１の表面に接着等により予め固定される。支持体１１，１２は、左右方向に離間しながら前身頃２５と後身頃２６の上端まで延びる。
紙おむつ支持体１（支持体１１，１２）は、紙おむつ２０とは異なる材料により形成することが望ましい。水分を吸収しずらい材料、または、水分を吸収しても伸びない材料が好ましい。例えば、耐水紙や樹脂、ゴム等により形成することが好ましい。
【００２２】
支持体１１は、着用者の右下腹部から右大腿内側付着部を通り、会陰部右側を経て臀裂左下部から左腰部へ至る。支持体１１の両端は、前身頃２５と後身頃２６の上端側（ウエスト部２８，２９）までそれぞれ延びる。
支持体１２は、着用者の左下腹部から左大腿内側付着部を通り、会陰部左側を経て臀裂右下部から右腰部へ至る。支持体１２の両端は、前身頃２５と後身頃２６の上端側（ウエスト部２８，２９）までそれぞれ延びる。
【００２３】
股下部２７のほぼ中央には、左右に延びて支持体１１，１２同士の間に架け渡される支持体１３が配置される。
支持体１３は、二つの支持体１１，１２と同様に、帯状、索状または紐状等であり、不織布２１の表面に接着等により予め固定される。支持体１１，１２は、支持体１３の両端から左右方向に離間しながら前身頃２５と後身頃２６に向けて延びる。
【００２４】
前身頃２５と後身頃２６のそれぞれのほぼ中央には、左右に延びて支持体１１，１２同士の間に架け渡される伸縮体１４，１５が配置される。
伸縮体１４，１５は、帯状、索状または紐状等弾性体であり、支持体１１，１２，１３と同様に不織布２１の表面に接着等により予め固定される。伸縮体１４，１５は、例えばゴム等である。支持体１１，１２は、伸縮体１４，１５が接続する部位から、左右方向に大きく離間しながら前身頃２５と後身頃２６の上端に向けて延びる。
【００２５】
紙おむつ２０の前方側と後方側には、支持体１１，１２と伸縮体１４，１５により区画された領域が形成される。この区画された領域の内面側には、吸収体２２（吸収体２２Ａ，２２Ｂ）が配置される。吸収体２２は、支持体１３を基準（中央）にして前後に延びるように配置される。
【００２６】
紙おむつ２０を装着するときは、前身頃２５、後身頃２６、股下部２７により、着用者の下腹部、腰臀部、陰股部をそれぞれ覆う。そして、後身頃２６の左右方向の両端を前身頃２５の左右方向の両端に覆い被せて(重ねて)、テープで後身頃２６と前身頃２５を連結する。つまり、ウエスト部２８，２９の両端を接続する。これにより、紙おむつ２０がパンツ形状になって、股間に装着される。そして、支持体１１，１２，１３は、不織布２１と吸収体２２を上方に向けて引っ張り上げるように支持する。
【００２７】
紙おむつ支持体１は、紙おむつ２２の股下部２７を上方に支持するため、吸収体２２が尿や軟便を吸収したときに、股下部２７の重みによる垂下りを防止できる。これにより、紙おむつ２０の密着感や支持感が損なわれることなく、快適な着用感を維持できる。また、着用者の内股と股下部２７が干渉して擦れによる皮膚障害が発生することも防止できる。
【００２８】
さらに、紙おむつ支持体１は、股下部２７を装着者の会陰部に密着させるように支持するので、紙おむつ２２の内部で排泄物が前後方向に移動することを阻止する。つまり、股下部２７の前方側で吸収体２２Ａに吸収しきれなかった尿は、会陰部で堰き止められて、徐々に吸収体２２Ａに吸収される。
このため、尿が股下部２７の後方側まで移動して、吸収体２２Ｂに付着した糞に触れることが抑止される。したがって、尿と糞が触れて雑菌が急激に繁殖することがなく、悪臭が抑えられて、股部皮膚の衛生環境を維持できる。
【００２９】
伸縮体１４が支持体１１，１２に連結（接続）し、さらに支持体１１，１２が大きく左右方向に離間するので、支持体１１，１２に掛かる力を分散することできる。このため、紙おむつ支持体１の耐久性が向上して、紙おむつ２０の着用感を長期間に亘って維持できる。
【００３０】
後身頃２６と前身頃２５を重ねて、テープで後身頃２６と前身頃２５を連結すると、支持体１１，１２同士がウエスト部２８，２９において交差する。このため、支持体１１，１２を上方に向けて引っ張り上げることができる。したがって、紙おむつ２０による股間の支持感が向上する。
【００３１】
本発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
【００３２】
紙おむつ支持体１は、紙おむつ２０の表面（不織布２１）に接着等により予め固定される場合に限らない。
紙おむつ支持体１は、その裏面に粘着層を有し、紙おむつ１の外面に接着される場合であってもよい。つまり、紙おむつ支持体１は、紙おむつ１に対して後付けされる場合であってもよい。
【００３３】
紙おむつ支持体１は、紙おむつ２０に対して着脱可能であってもよい。つまり、繰り返し使用できるものであってもよい。
【００３４】
支持体１３を備える場合に限らず、支持体１１，１２が股下部２７の中央でＸ字形やＹ字形に交差する場合であってもよい。
【００３５】
紙おむつ２０は、いわゆるテープタイプに限らず、いわゆるパンツタイプであってもよい。紙おむつ支持体１は、紙おむつ２０に限らず、いわゆる尿漏れパンツ（失禁パンツ）に対しても装着することができる。
【符号の説明】
【００３６】
１  紙おむつ    １１，１２  支持体（二つの支持体）    １３  支持体（第三支持体）    １４，１５  伸縮体    ２０  紙おむつ    ２１  不織布    ２２，２２Ａ，２２Ｂ  吸収体    ２５  前身頃    ２６  後身頃    ２７  股下部    ２８，２９  ウエスト部    
【図１】
2018038655.tif 000003
【図２】
2018038655.tif 000004
【図３】
2018038655.tif 000005
【図４】
2018038655.tif 000006
【図５】
2018038655.tif 000007
【図６】
2018038655.tif 000008
【図７】
2018038655.tif 000009